(57)【要約】【課題】現実の表示パネルに基づくＯＳパラメータを設定し得る液晶表示装置を提供する。【解決手段】フレームメモリ２１とルックアップテーブル（ＬＵＴ）２３とを用いてオーバーシュート駆動を行う。液晶パネルの表示部１に設けられたダミー画素と、ダミー画素の輝度を検出する受光装置と、受光装置にて検出したダミー画素の輝度に基づいて、オーバーシュートパラメータを算出してルックアップテーブル（ＬＵＴ）２３を更新するルックアップテーブル更新部２４とが設けられている。【選択図】図１
2008139430.tif 000002
【特許請求の範囲】
【請求項１】
フレームメモリとルックアップテーブルとを用いてオーバーシュート駆動を行う液晶表示装置であって、
液晶パネルの表示部に設けられたダミー画素と、
上記ダミー画素の輝度を検出する受光装置と、
上記受光装置にて検出したダミー画素の輝度に基づいて、オーバーシュートパラメータを算出してルックアップテーブルを更新するルックアップテーブル更新部とを含むことを特徴とする液晶表示装置。
【請求項２】
前記液晶パネルを支持するベゼルが設けられていると共に、
前記受光装置は、ベゼルの裏面に設けられていることを特徴とする請求項１記載の液晶表示装置。
【請求項３】
前記受光装置は、液晶パネルの表示部の表面に設けられていることを特徴とする請求項１記載の液晶表示装置。
【請求項４】
前記ダミー画素には、表示用画素と同極性の電圧が印加されていることを特徴とする請求項１記載の液晶表示装置。
【請求項５】
前記受光装置は、複数設けられていると共に、
上記複数の受光装置を切り替える切り替え部が設けられていることを特徴とする請求項１記載の液晶表示装置。
【請求項６】
フレームメモリとルックアップテーブルとを用いてオーバーシュート駆動を行う液晶表示装置の駆動方法であって、
液晶パネルの表示部に設けられたダミー画素の輝度を検出する受光装置を設け、
上記受光装置にて検出したダミー画素の輝度に基づいて、オーバーシュートパラメータを算出してルックアップテーブルを更新することを特徴とする液晶表示装置の駆動方法。
【発明の詳細な説明】
【技術分野】
【０００１】
本発明は、オーバーシュート（Overshoot：ＯＳ）駆動を行う液晶表示装置及びその駆動方法に関するものである。
【背景技術】
【０００２】
近年、フラットパネルディスプレイ（ＦＰＤ）の進歩は目覚しく、ブラウン管モニタが様々なＦＰＤに置換えられつつある。特に、ＦＰＤの先駆け的な存在である液晶ディスプレイ（Liquid Crystal Display：ＬＣＤ）は、技術進歩が目覚しく、日常生活の様々な場面で利用されるようになり、その発展には、より一層の期待が高まっている。
【０００３】
しかしながら、ＬＣＤには、未だ大きな弱点がいくつか残されている。その代表的なものの１つは、動画表示が苦手であるということである。この主原因の１つとして挙げられるのは、液晶の応答速度が遅いということである。液晶の応答速度というと、白黒のスイッチング速度で考えることが多いが、上述したようなブラウン管モニタの置換えに伴い、中間調−中間調でのスイッチングが大きな割合を占めており、この状態での液晶の応答速度を考慮しなければならない。しかも、一般的には、応答速度は白−黒でのスイッチングよりも中間調−中間調でのスイッチングの方が遅く、問題となっている。
【０００４】
このため、応答速度の高速化は、テレビをブラウン管からＬＣＤに置換える際に避けて通れない問題であり、あらゆる階調間での液晶の応答を、如何にして高速化するかということが大きな課題となっている。上記課題の解決手段の１つとして提唱されているのが、オーバーシュート（Overshoot：ＯＳ）駆動法である。
【０００５】
この駆動方法の例を図７に示す。液晶が、ある階調Ａから別の階調Ｂにスイッチングする時、一般には階調Ａと階調Ｂとの階調差が大きい程、液晶は高速スイッチングをする。
【０００６】
したがって、図７に示すように、階調Ａ＜階調Ｂのライズ応答であれば、階調Ｂ＜階調Ｃとなる階調レベルのＯＳ階調Ｃを一瞬入力した後に、目標とする階調Ｂを入力することにより、通常の階調Ａから階調Ｂへのスイッチング速度よりもより高速に液晶をスイッチングさせることが可能になる。また、階調Ａ＞階調Ｂのディケイ応答であれば、階調Ｂ＞階調Ｃとなる階調レベルのＯＳ階調Ｃを入力した後に、目標とする階調Ｂを入力することにより、通常の階調Ａから階調Ｂへのスイッチング速度よりもより高速に液晶をスイッチングさせることが可能になる。
【０００７】
実際には、例えば、０階調から２５５階調へのスイッチング等のフル階調スイッチング時に、液晶は最も高速にスイッチングするので、ＯＳ駆動法による液晶の応答速度は、理論上、あらゆる階調間のスイッチングにおいて、フル階調スイッチングの応答速度まで高速化が可能になる。したがって、フル階調スイッチングが充分に高速応答をする液晶表示モードにおいて、ＯＳ駆動法を用いることによって、あらゆる階調間のスイッチングにおいて充分な高速応答が可能なＬＣＤを得ることが可能である。
【０００８】
そして、このようなＯＳ駆動法を実用化するに際して、最も注意を払う必要のある点の１つが、実際の駆動時にＯＳ階調Ｃとして印加する信号レベルであるＯＳパラメータＣを如何にして決定するかということである。ＯＳ駆動を行うための回路において、一般的に用いられているアルゴリズムの要点は、「任意のｎフィールドの現在の階調Ａと（ｎ＋１）フィールドの到達階調Ｂとを比較し、ルックアップテーブル（Look Up Table：ＬＵＴ）を参照して、ＯＳパラメータＣを決定する」ということである。ルックアップテーブルは、例えば、「ｎフィールドが１２０階調、（ｎ＋１）フィールドが１５０階調に対し、ＯＳパラメータＣは１９０階調」といったように、階調Ａと階調Ｂとの値の組み合わせによりＯＳパラメータＣを決定している一覧表である。このルックアップテーブルを正確に決定できないと、以下のような状態になり、ディスプレイとしてきちんとした表示が得られない。
【０００９】
すなわち、適切なＯＳパラメータＣを設定した場合、図８に示すように、１フィールド期間内で、到達階調Ｂを行き過ぎることなく、該到達階調Ｂに達している理想的な応答性を得ることができる。これに対して、充分な高速応答を得るために、あまりに大きなＯＳパラメータＣを設定した場合、図９に示すように、液晶の応答波形に角が現れる。このような場合、液晶が要求されるスイッチングレベルよりも過剰に応答していることになる。この状態で実際に液晶表示装置を見た場合は、スイッチング時や動画表示の際に不自然に光って見える。また、液晶の過剰応答を恐れて充分な大きさのＯＳパラメータＣに設定しない場合、図１０に示すように、充分な応答性が得られず、１フィールド期間内で到達階調Ｂに達しないことになる。そして、ＯＳパラメータＣの階調レベルが小さくなる程、図１１に示すように、ＯＳ駆動を行わない場合の応答性に近付き、ＯＳ駆動の意味を失ってしまう。
【００１０】
ところで、上記ルックアップテーブルのＯＳパラメータＣの値は表示パネルの標準値に基づいて設定されているが、表示パネル毎にばらつきがある。また、液晶の応答特性は温度に大きく依存しており、１つのルックアップテーブルを用意したとしても、周囲温度の変化によって最適なオーバードライブ量が変化してしまうという問題がある。
【００１１】
そこで、この問題を解決するために、特許文献１に開示された液晶パネル駆動装置では、図１２に示すように、ルックアップテーブル（ＬＵＴ１…ＬＵＴｎ）１０１…を温度に対応して複数種類設け、周囲の温度を示す情報に基づいて、このルックアップテーブル（ＬＵＴ１…ＬＵＴｎ）１０１…を選択的に切り替えて用いている。これにより、周囲温度等が変化しても最適なオーバードライブを実行することができるものとなっている。
【００１２】
一方、ＯＳパラメータＣを計算する場合、セル厚、セルの形状、使用する液晶材料等によって、ＯＳ量が一意的に決まらなければならないところ、実際には、場所によって３０％以上の大きな誤差を発生している。
【００１３】
そこで、この問題を解決するために、例えば、特許文献２に開示された液晶表示装置の評価装置では、図１３に示すように、液晶パネル２０１が表示する画像を受光素子２０２により波形を解析し、その解析の結果に基づいて最適なオーバーシュートパラメータを設定する構成が開示されている。
【特許文献１】特開２００４−１３３１５９号公報（２００４年４月３０日公開）
【特許文献２】特開２００４−２６４８２８号公報（２００４年９月２４日公開）
【特許文献３】特開平７−２３００７８号公報（１９９５年８月２９日公開）
【発明の開示】
【発明が解決しようとする課題】
【００１４】
しかしながら、上記特許文献２に開示された液晶表示装置の評価装置では、ルックアップテーブルを作成する場合に、予め、恒温室に格納した液晶表示装置における液晶パネル２０１の中央部に受光素子を設け、各温度に対する輝度測定を行って、ＯＳパラメータＣを作成している。
【００１５】
したがって、現実の液晶パネル２０１の輝度に基づいたＯＳパラメータＣではない。したがって、実際に必要なＯＳパラメータＣとに誤差が生じる可能性を含んでいるという問題点を有している。
【００１６】
本発明は、上記従来の問題点に鑑みなされたものであって、その目的は、現実の表示パネルに基づくＯＳパラメータを設定し得る液晶表示装置を提供することにある。
【課題を解決するための手段】
【００１７】
本発明の液晶表示装置は、上記課題を解決するために、フレームメモリとルックアップテーブルとを用いてオーバーシュート駆動を行う液晶表示装置であって、液晶パネルの表示部に設けられたダミー画素と、上記ダミー画素の輝度を検出する受光装置と、上記受光装置にて検出したダミー画素の輝度に基づいて、オーバーシュートパラメータを算出してルックアップテーブルを更新するルックアップテーブル更新部とを含むことを特徴としている。
【００１８】
本発明の液晶表示装置の駆動方法は、上記課題を解決するために、フレームメモリとルックアップテーブルとを用いてオーバーシュート駆動を行う液晶表示装置の駆動方法であって、液晶パネルの表示部に設けられたダミー画素の輝度を検出する受光装置を設け、上記受光装置にて検出したダミー画素の輝度に基づいて、オーバーシュートパラメータを算出してルックアップテーブルを更新することを特徴としている。
【００１９】
上記の発明によれば、受光装置にて検出したダミー画素の輝度に基づいて、オーバーシュートパラメータを算出してルックアップテーブルを更新するルックアップテーブル更新部が設けられている。すなわち、ダミー画素は、液晶パネルにおける表示エリア内の表示用画素の表示の均一性を維持するために設けられているものであり、表示用画素の輝度と等価とすることができる。したがって、実際に出力された表示用画素の輝度に基づいて、ルックアップテーブルのオーバーシュート（ＯＳ）パラメータが更新されるので、液晶表示装置における液晶パネルのセル厚、セルの形状、使用する液晶材料及び温度等の特性に応じたＯＳパラメータに更新することができる。
【００２０】
また、ダミー画素は、表示部の周辺部に設けられるものであり、受光装置は、そのダミー画素の輝度を検出するものである。したがって、受光装置を表示部の周辺部に設けることになるので、見えない部分に受光装置が常時設置されていることになる。この結果、表示部の表示に影響を与えることなく、受光装置を設けることができる。
【００２１】
さらに、ルックアップテーブル（ＬＵＴ）を格納するメモリが大きくなることも回避できる。
【００２２】
この結果、現実の表示パネルに基づくＯＳパラメータを設定し得る液晶表示装置及びその駆動方法を提供することができる。
【００２３】
なお、例えば、特許文献３には、アクティブエリア以外のエリアに受光素子を設けるという構成が開示されているが、オーバーシュートのパラメータ設定を行うという構成は開示されていない。
【００２４】
また、本発明の液晶表示装置では、前記液晶パネルを支持するベゼルが設けられていると共に、前記受光装置は、ベゼルの裏面に設けられていることが可能である。
【００２５】
これにより、受光装置は、ベゼルの裏面に設けられているので、確実に、見えない部分に受光装置を設けることができる。
【００２６】
また、本発明の液晶表示装置では、前記受光装置は、液晶パネルの表示部の表面に設けられていることが可能である。
【００２７】
これにより、例えば、液晶パネルの表示部の表面におけるダミー画素の位置に接着等により設けることができ、ベゼルの裏面に設ける場合に必要な位置合わせ作業を回避することができる。
【００２８】
また、本発明の液晶表示装置では、前記ダミー画素には、表示用画素と同極性の電圧が印加されていることが可能である。これにより、確実に、ダミー画素は、表示用画素の輝度と同じになる。
【００２９】
また、本発明の液晶表示装置では、前記受光装置は、複数設けられていると共に、上記複数の受光装置を切り替える切り替え部が設けられていることを特徴としている。
【００３０】
したがって、液晶パネルの様々な位置の輝度を検出することができるので、液晶パネルの温度ばらつきに対応することができる。
【発明の効果】
【００３１】
本発明の液晶表示装置は、以上のように、液晶パネルの表示部に設けられたダミー画素の輝度を検出する受光装置と、上記受光装置にて検出したダミー画素の輝度に基づいて、ルックアップテーブルを更新するルックアップテーブル更新部とが設けられているものである。
【００３２】
また、本発明の液晶表示装置の駆動方法は、以上のように、液晶パネルの表示部に設けられたダミー画素の輝度を検出する受光装置を設け、上記受光装置にて検出したダミー画素の輝度に基づいて、ルックアップテーブルを更新する方法である。
【００３３】
それゆえ、現実の表示パネルに基づくＯＳパラメータを設定し得る液晶表示装置及びその駆動方法を提供するという効果を奏する。
【発明を実施するための最良の形態】
【００３４】
本発明の一実施形態について図１ないし図６に基づいて説明すれば、以下の通りである。
【００３５】
本実施の形態の例えばアクティブマトリクス型の液晶表示装置１０は、図１示すように、表示部１、ゲート駆動部２、ソース駆動部３、共通電極駆動部４、コントロール部２０、データ入力部５、及びバックライト駆動部６を備えている。
【００３６】
表示部１は、詳細な図示は省略するが、互いに平行する複数本の走査信号線及び互いに平行する複数本のデータ信号線と、マトリクス状に配置された画素とを有している。画素は、隣接する２本の走査信号線と隣接する２本のデータ信号線とで包囲された領域に形成される。
【００３７】
上記表示部１における各画素は、例えばＴＦＴ（Thin Film Transistor：薄膜トランジスタ）等のスイッチング素子及び液晶容量等によって構成される。このような画素において、ＴＦＴのゲートが走査信号線に接続されると共に、ＴＦＴのドレイン及びソースを介してデータ信号線と液晶容量の一方の電極とが接続され、液晶容量の他方の電極が全画素に共通の共通電極線に接続されている。ソース駆動部３は、タイミング信号となるソースクロック信号と反転ソースクロック信号とソーススタートパルスとに基づいたタイミングで、画像データ信号ＤＡＴから各画像データを抽出し、それぞれの画素へ送出している。共通電極駆動部４は、この共通電極線に印加する電圧を供給する。
【００３８】
一方、本実施の形態では、図２（ａ）に示すように、表示部１おける表示エリア１ａには表示用画素Ｐａが設けられていると共に、上記表示エリア１ａ外には、この表示エリア１ａを取り囲むようにダミー画素Ｐｂが設けられている。このダミー画素Ｐｂは、表示エリア１ａ内の表示用画素Ｐａの表示の均一性を維持するために設けられているものであり、表示用画素Ｐａと同じデータが入力されるようになっている。
【００３９】
さらに、本実施の形態では、このダミー画素Ｐｂの上方に受光装置７が設けられており、この受光装置７にて受光したダミー画素Ｐｂの輝度データをコントロール部２０に出力するようになっている。この受光装置７は、例えば、光センサ、フォトダイオード、フォトマル、又はＣＣＤ(Charge Coupled Device)から構成することが可能である。
【００４０】
すなわち、液晶の応答速度は温度によって変化するため、従来は温度センサーとリンクしてルックアップテーブルＬＵＴの切り替えが行われていた。
【００４１】
これに対して、本実施の形態では、受光装置７にてダミー画素Ｐｂの輝度を測定し、この輝度測定データに基づいて、逐次、ＯＳパラメータの更新を行うようになっている。なお、環境温度の変化に対して、画面の表示フレーム周波数は５０Ｈｚ〜１２０Ｈｚと高速であるため、逐次に、ＯＳパラメータを更新しても問題は発生しない。
【００４２】
次いで、図１に示すように、上記ゲート駆動部２は、コントロール部２０から出力されるゲートクロック信号及びゲートスタートパルスに基づいて各行の画素に接続された走査信号線に与える走査信号を順次発生する。
【００４３】
ソース駆動部３は、コントロール部２０から出力されるソースクロック信号及びソーススタートパルスに基づいて、画像データ信号ＤＡＴをサンプリングし、得られた画像データを各列の画素に接続されたデータ信号線に出力する。
【００４４】
データ入力部５は、画像データ信号ＤＡＴを入力して、コントロール部２０のフレームメモリ２１及び演算部２２の出力する。
【００４５】
次に、上記コントロール部２０について説明する。
【００４６】
上記コントロール部２０は、フレームメモリ２１、演算部２２、ルックアップテーブル（ＬＵＴ）２３、ルックアップテーブル更新部２４、駆動データ生成部２５を備えている。
【００４７】
コントロール部２０は、データ入力部５から入力される同期信号、画像データ信号ＤＡＴに基づき、ゲート駆動部２及びソース駆動部３の動作を制御するための各種の制御信号を生成し出力する回路である。コントロール部２０から出力される制御信号としては、上述のように、各クロック信号、各スタートパルス、及び画像データ信号ＤＡＴ等がある。
【００４８】
コントロール部２０の演算部２２は、画像データ信号ＤＡＴを変換する。演算部２２におけるデータ変換は、例えば、ルックアップテーブル（ＬＵＴ）２３に格納されるデータに基づいて行われる。なお、演算部２２は、ソース駆動部３やゲート駆動部２等のドライバと一体化されることが可能である。また、外部にコントロールＩＣを持つ場合は、その一部とされることも可能である。さらに、表示部１内にモノリシック回路として作り込むことも可能である。
【００４９】
上記構成の液晶表示装置１０では、ゲート駆動部２が走査信号線を選択し、選択中の走査信号線とデータ信号線との組み合わせに対応する画素への画像データ信号ＤＡＴが、ソース駆動部３によってそれぞれのデータ信号線へ出力される。これによって、当該走査信号線に接続された画素へ、それぞれの画像データが書き込まれる。同様にして、ゲート駆動部２が各走査信号線を順次選択し、ソース駆動部３がデータ信号線へ画像データを出力する。この結果、表示部１の全画素にそれぞれの画像データが書き込まれることになり、表示部１に画像データ信号ＤＡＴに応じた画像が表示される。
【００５０】
ここで、本実施の形態の液晶表示装置１０は、オーバーシュート（Overshoot：ＯＳ）駆動法を採用しており、コントロール部２０からソース駆動部３へ送られる画像データは、画像データ信号ＤＡＴとして時分割で伝送される。すなわち、画像データをコントロール部２０を介してソース駆動部３に送るときには、現フレームデータはフレームメモリ２１に格納される。このフレームメモリ２１に格納された１フレーム分のフレームデータは、演算部２２がオーバードライブ駆動をする際に、前フレームデータとの比較を行うために使用される。
【００５１】
上記ルックアップテーブル（ＬＵＴ）２３には、例えば、図３に示すように、１フレーム前の階調であるスタート階調と現在フレームの到達階調にするときのＯＳパラメータＣが格納されている。
【００５２】
このコントロール部２０では、データ入力部５からの画像データ信号ＤＡＴがフレームメモリ２１と演算部２２とに送られる。演算部２２では、現在のフレームの画像データと１フレーム前の画像データとからルックアップテーブル（ＬＵＴ）２３から表引きを行い、実際に出力する画像データを算出する。そして、算出された画像データを基に表示部１を駆動させる画像データを生成する。
【００５３】
本実施の形態では、前記受光装置７からのデータを入力することにより、ルックアップテーブル（ＬＵＴ）２３を更新するルックアップテーブル更新部２４が設けられている。
【００５４】
上記ルックアップテーブル更新部２４では、以下の処理が行われる。
【００５５】
まず、駆動データ生成部２５にダミー画素Ｐｂの駆動データが送られる。次いで、受光装置７からダミー画素Ｐｂの応答速度データを受け取る。そして、その応答速度データに基づきルックアップテーブル（ＬＵＴ）２３の内容を更新する。
【００５６】
ここで、上記ルックアップテーブル（ＬＵＴ）２３の内容を更新方法について、図４に示すフローチャートに基づいて詳述する。
【００５７】
図４に示すように、先ず、Ｘ階調からＹ階調へ変化させたとき、受光装置７にて実際に変化した受光階調データＺを検出する（Ｓ１）。次いで、ルックアップテーブル（ＬＵＴ）２３のスタート階調がＸであり、かつ到達階調が受光階調データＺであるＯＳパラメータを求める。このときのＯＳパラメータをパラメータ階調Ｗとする（Ｓ２）。
【００５８】
次いで、Ｙ階調とパラメータ階調Ｗとが等しいか否かを判断する（Ｓ３）。このとき、Ｙ階調とパラメータ階調Ｗとが等しければそのまま終了するが、Ｙ階調とパラメータ階調Ｗとが等しくなければ、さらに、Ｙ階調がパラメータ階調Ｗよりも大きいか否かを判断する（Ｓ４）。
【００５９】
Ｓ４において、Ｙ階調がパラメータ階調Ｗよりも大きい場合には、ルックアップテーブル（ＬＵＴ）２３のスタート階調Ｘに対応するＯＳパラメータの中に、受光階調データＺよりも大きいデータが有るか否かを検出する（Ｓ５）。
【００６０】
そして、ルックアップテーブル（ＬＵＴ）２３のＯＳパラメータの全てがＹ階調よりも大きいか否かを判断する（Ｓ６）。Ｓ６において、ＯＳパラメータの全てがＹ階調よりも大きい場合には、ルックアップテーブル（ＬＵＴ）２３のスタート階調Ｘに対する受光階調データＺ（到達階調）の値にＹ階調を代入する（Ｓ７）。
【００６１】
一方、Ｓ６において、ＯＳパラメータの全てがＹ階調よりも大きくない場合には、つまりＯＳパラメータのデータにＹ階調よりも小さいデータがある場合には、受光階調データＺに最も近いＹ階調よりも大きいＯＳパラメータを検出し、受光階調データＺとそのＯＳパラメータとの間にあるデータとから直線補間して、そのデータ全てをルックアップテーブル（ＬＵＴ）２３に代入する（Ｓ８）。
【００６２】
一方、Ｓ４において、Ｙ階調がパラメータ階調Ｗよりも大きくない場合には、ルックアップテーブル（ＬＵＴ）２３のスタート階調Ｘに対応するＯＳパラメータの中に、受光階調データＺよりも小さいＯＳパラメータが有るか否かを検出する（Ｓ９）。
【００６３】
そして、ルックアップテーブル（ＬＵＴ）２３のＯＳパラメータの全てがＹ階調よりも小さいか否かを判断する（Ｓ１０）。Ｓ１０において、ＯＳパラメータの全てがＹ階調よりも小さい場合には、ルックアップテーブル（ＬＵＴ）２３のスタート階調Ｘに対する受光階調データＺ（到達階調）の値にＹ階調を代入する（Ｓ１１）。
【００６４】
一方、Ｓ１０において、パラメータ階調Ｗの全てがＹ階調よりも小さくない場合には、つまりＯＳパラメータのデータにＹ階調よりも大きいデータがある場合には、受光階調データＺに最も近いＹ階調よりも小さいＯＳパラメータを検出し、受光階調データＺとＯＳパラメータとの間にあるデータとから直線補間して、そのデータ全てをルックアップテーブル（ＬＵＴ）２３に代入する（Ｓ１２）。
【００６５】
このように、基本的には、測定した受光階調データＺをルックアップテーブル（ＬＵＴ）２３に代入することによって、ルックアップテーブル（ＬＵＴ）２３の更新を行う。ただし、一つのスタート階調Ｘのデータ列を取り出した場合、そのルックアップテーブル（ＬＵＴ）２３のデータは到達階調に対して、単調増加関数になる必要がある。Ｓ４からＳ１２までの処理は、この矛盾を解消するためのロジックである。
【００６６】
具体例にて、説明する。例えば、更新する前のルックアップテーブル（ＬＵＴ）２３のＯＳパラメータが、図５に示すようになっていたとする。
【００６７】
このとき、更新するデータが４１であるとする。この場合、受光階調データＺ＋１、受光階調データＺ＋２のデータが矛盾する。そこで、直線補間を行い、受光階調データＺに４１を代入し、受光階調データＺ＋１に４２を代入し、受光階調データＺ＋２に４３を代入する。
【００６８】
なお、本発明は、上記の実施の形態に限定されるものではなく、本発明の範囲内で種々の変更が可能である。例えば、図６に示すように、受光装置７は、ダミー画素Ｐｂの上にベゼル９が覆い被さるようにして、このベゼル９の裏側に配置することが可能である。一方、受光装置７を表示部１のガラス上に形成することも可能である。
【００６９】
また、応答速度の測定には１００％の輝度は必要ないので、受光装置７の真下全てにバックライトが必要となることはない。したがって、画素Ｐの一部に光が当たっていれば良い。
【００７０】
また、ダミー画素Ｐｂは複数存在するので、受光装置７を増やすことが可能である。これにより、更新速度を向上させ、追随性能を向上させることができる。また、受光装置７を複数を設置した場合、表示部１の様々な位置の受光階調データＺを測定することができるので、表示部１の画面内の温度ばらつきに対応することも可能となる。
【００７１】
さらに、図２（ｂ）に示すように、ダミー画素Ｐｂは、通常、すぐ近くの同極性のデータを表示する場合が多い。このような場合においても、コントロール部２０内では予めダミーのデータがわかるため、そのデータを使用して更新を行うことができる。すなわち、順番にルックアップテーブル（ＬＵＴ）２３を更新する必要はないので、出現したデータに基づいて更新することが可能となる。
【００７２】
このように、本実施の形態の液晶表示装置１０及びその駆動方法では、受光装置７にて検出したダミー画素Ｐｂの輝度に基づいて、オーバーシュートパラメータを算出してルックアップテーブル（ＬＵＴ）２３を更新するルックアップテーブル更新部２４が設けられている。すなわち、ダミー画素Ｐｂは、液晶パネルにおける表示部１の表示エリア１ａ内の表示用画素Ｐａの表示の均一性を維持するために設けられているものであり、表示用画素Ｐａの輝度と等価とすることができる。したがって、実際に出力された表示用画素Ｐａの輝度に基づいて、ルックアップテーブル（ＬＵＴ）２３のオーバーシュート（ＯＳ）パラメータが更新されるので、液晶表示装置１０における液晶パネルのセル厚、セルの形状、使用する液晶材料及び温度等の特性に応じたＯＳパラメータに更新することができる。
【００７３】
また、ダミー画素Ｐｂは、表示部１の周辺部に設けられるものであり、受光装置７は、そのダミー画素Ｐｂの輝度を検出するものである。したがって、したがって、受光装置７を表示部１の周辺部に設けることになるので、見えない部分に受光装置７が常時設置されていることになる。この結果、表示部１の表示に影響を与えることなく、受光装置１を設けることができる。
【００７４】
さらに、ルックアップテーブル（ＬＵＴ）２３を格納するメモリが大きくなることも回避できる。
【００７５】
この結果、現実の表示パネルに基づくＯＳパラメータを設定し得る液晶表示装置１０及びその駆動方法を提供することができる。
【００７６】
また、本実施の形態の液晶表示装置１０では、受光装置７は、ベゼル９の裏面に設けられているので、確実に、見えない部分に受光装置７を設けることができる。
【００７７】
また、本実施の形態の液晶表示装置１０では、例えば、受光装置７を液晶パネルの表示部１の表面におけるダミー画素Ｐｂの位置に接着等により設けることができ、ベゼル９の裏面に設ける場合に必要な位置合わせ作業を回避することができる。
【００７８】
また、本実施の形態の液晶表示装置１０では、ダミー画素Ｐｂには、該ダミー画素Ｐｂの近傍位置に設けられた表示用画素Ｐａと同極性の電圧が印加されている。これにより、確実に、ダミー画素Ｐｂは、表示用画素Ｐａの輝度と同じになる。
【００７９】
また、本実施の形態の液晶表示装置１０では、液晶パネルの表示部１に設けられたダミー画素Ｐｂの輝度を検出する受光装置７は複数設けられており、この複数の受光装置７を用いてルックアップテーブル（ＬＵＴ）２３を更新することが可能である。
【００８０】
したがって、液晶パネルの様々な位置の輝度を検出することができるので、液晶パネルの温度ばらつきに対応することができる。
【００８１】
また、本実施の形態の液晶表示装置１０では、複数の受光装置７を切り替える切り替え部を設けることが可能である。これにより、容易に、複数の受光装置７の輝度データを使い分けることができる。
【００８２】
なお、複数の受光装置７を切り替えてルックアップテーブル（ＬＵＴ）２３を更新する場合、ルックアップテーブル更新部２４は、以下の処理を行う。
【００８３】
すなわち、複数の受光装置７を切り替えたときには、その都度、ルックアップテーブル（ＬＵＴ）２３の変化のあったＯＳパラメータを全て更新する。その後、更新されたルックアップテーブル（ＬＵＴ）２３に矛盾がないか否かのチェックを行い、ルックアップテーブル（ＬＵＴ）２３に矛盾があれば、前述のように、矛盾の発生する部分を直線補間を行って修正を行う。
【産業上の利用可能性】
【００８４】
本発明は、オーバーシュート（Overshoot：ＯＳ）駆動を行う液晶表示装置及びその駆動方法に適用できる。
【図面の簡単な説明】
【００８５】
【図１】本発明における液晶表示装置の実施の一形態を示すブロック図である。
【図２】上記液晶表示装置における受光装置を示す配置図である。
【図３】上記液晶表示装置におけるルックアップテーブル（ＬＵＴ）の構成を示す説明図である。
【図４】上記液晶表示装置におけるルックアップテーブル（ＬＵＴ）の更新方法を示すフローチャートである。
【図５】上記液晶表示装置におけるルックアップテーブル（ＬＵＴ）の更新方法を示す説明図である。
【図６】上記液晶表示装置における受光装置の取り付け位置を示す断面図である。
【図７】上記液晶表示装置における、１フィールドオーバーシュート駆動方法を示す波形図である。
【図８】上記液晶表示装置における、適正なオーバーシュート信号にてオーバーシュート駆動を行ったときの液晶パネルのスイッチングによる光学応答波形を示す波形図である。
【図９】上記液晶表示装置における、過剰なオーバーシュート信号にてオーバーシュート駆動を行ったときの液晶パネルのスイッチングによる光学応答波形を示す波形図である。
【図１０】上記液晶表示装置における、弱いオーバーシュート信号にてオーバーシュート駆動を行ったときの液晶パネルのスイッチングによる光学応答波形を示す波形図である。
【図１１】上記液晶表示装置における、オーバーシュート駆動を行わないときの液晶パネルのスイッチングによる光学応答波形を示す波形図である。
【図１２】従来のオーバーシュート駆動を行う液晶表示装置の構成を示すブロック図である。
【図１３】従来のオーバーシュート駆動を行う他の液晶表示装置の構成を示すブロック図である。
【符号の説明】
【００８６】
１    表示部
１ａ  表示エリア
２    ゲート駆動部
３    ソース駆動部
５    データ入力部
６    バックライト駆動部
７    受光装置
９    ベゼル
２０    コントロール部
２１    フレームメモリ
２２    演算部
２３    ルックアップテーブル（ＬＵＴ）
２４    ルックアップテーブル更新部
２５    駆動データ生成部
ＤＡＴ  画像データ信号
Ｐａ    表示用画素
Ｐｂ    ダミー画素
【図１】
2008139430.tif 000003
【図２】
2008139430.tif 000004
【図３】
2008139430.tif 000005
【図４】
2008139430.tif 000006
【図５】
2008139430.tif 000007
【図６】
2008139430.tif 000008
【図７】
2008139430.tif 000009
【図８】
2008139430.tif 000010
【図９】
2008139430.tif 000011
【図１０】
2008139430.tif 000012
【図１１】
2008139430.tif 000013
【図１２】
2008139430.tif 000014
【図１３】
2008139430.tif 000015